(57)【要約】【課題】複数の表示媒体を備えた表示装置において、個々の表示媒体に対応して設けられた電源が、他の表示媒体の電源として活用される表示装置を提供する。【解決手段】複数の画素を備えた表示媒体及び表示媒体に電圧を印加する電源を各々備え、表示媒体への電圧の印加により画像が更新される複数の表示部と、複数の表示部の各々に備えられた電源から複数の表示部の各々に備えられた表示媒体への電圧の印加を切り替える切替部と、画像を更新しない表示部が存在する状態で、画像を更新する表示部に備えられた電源及び画像を更新しない表示部に備えられた電源から、画像を更新する表示部に備えられた表示媒体に電圧が印加されるように切替部を制御する制御部と、を備えた表示装置とする。【選択図】図２
2015230446.tif 000002
【特許請求の範囲】
【請求項１】
複数の画素を備えた表示媒体及び前記表示媒体に電圧を印加する電源を各々備え、前記表示媒体への電圧の印加により画像が更新される複数の表示部と、
前記複数の表示部の各々に備えられた電源から、前記複数の表示部の各々に備えられた表示媒体への電圧の印加を切り替える切替部と、
画像を更新しない表示部が存在する状態で、画像を更新する表示部に備えられた電源及び画像を更新しない表示部に備えられた電源から、前記画像を更新する表示部に備えられた表示媒体に電圧が印加されるように前記切替部を制御する制御部と、
を備えた表示装置。
【請求項２】
前記制御部が、画像を更新する表示部に備えられた電源及び画像を更新しない表示部に備えられた電源から前記画像を更新する表示部に備えられた表示媒体に印加される電圧が、画像を更新する表示部に備えられた電源から前記画像を更新する表示部に備えられた表示媒体に印加される電圧よりも増加するように前記切替部を制御する、請求項１に記載の表示装置。
【請求項３】
前記制御部が、画像を更新しない表示部の数が画像を更新する表示部の数以上の場合に、画像を更新しない表示部に備えられた電源から、画像を更新する表示部に備えられた表示媒体に電圧が印加されるように前記切替部を制御する、請求項１又は請求項２に記載の表示装置。
【請求項４】
前記制御部が、画像を更新しない複数の表示部に備えられた複数の電源から、画像を更新する表示部に備えられた１つの表示媒体に電圧が印加されるように前記切替部を制御する、請求項３に記載の表示装置。
【請求項５】
前記制御部が、画像を更新しない表示部に備えられた電源から、画像を更新する複数の表示部の複数の表示媒体の各々に順次電圧が印加されるように前記切替部を制御する、請求項１から請求項４までの何れか１項に記載の表示装置。
【請求項６】
前記制御部が、画像を更新しない表示部に備えられた電源から、画像を更新する複数の表示部の一部の表示媒体の各々に電圧が印加されるように前記切替部を制御する、請求項１又は請求項２に記載の表示装置。
【請求項７】
前記表示媒体が、前記複数の画素に応じて設けられた複数の画素電極及び前記複数の画素に共通の共通電極を備え、
前記制御部は、画像を更新する表示部に備えられた電源が前記画像を更新する表示部に備えられた表示媒体の複数の画素電極の各々に接続されると共に、画像を更新しない表示部に備えられた電源が前記画像を更新する表示部に備えられた表示媒体の共通電極に接続されるように前記切替部を制御する、
請求項１から請求項６までの何れか１項に記載の表示装置。
【発明の詳細な説明】
【技術分野】
【０００１】
本発明は、表示装置に関する。
【背景技術】
【０００２】
特許文献１には、複数個のスイッチング素子と絵素との組み合わせよりなり、該絵素の一方の電極は、該スイッチング素子の出力電極につながれ、他方の電極は、複数の絵素間の共通のコモン電極に接続された能動マトリクス型表示パネルにおいて、複数のスイッチング素子の入力電極に共通に接続されたデータ電極には、所定の２つの電位の切り換えをする２値切り換え型スイッチを接続し、複数のスイッチング素子の制御電極に接続されたスキャン電極と前記コモン電極には、それぞれ任意の電位を取り得る２値切り替え型スイッチを接続し、複数のスイッチング素子の制御電極に共通に接続されたスキャン電極と前記コモン電極には、それぞれ任意の電位を与えることにより表示を行うことを特徴とする能動マトリクス型表示パネルの駆動装置が記載されている。
【０００３】
特許文献２には、複数の表示手段と、前記複数の表示手段に対して共通に設けられ、且つ前記表示手段に供給される電圧を制御する電源ＩＣとを有し、前記電源ＩＣは、前記電圧を前記複数の表示手段のいずれか一に供給するかを決定する手段を有していることを特徴とする表示装置が記載されている。
【先行技術文献】
【特許文献】
【０００４】
【特許文献１】特開昭６１-１２８２９２号公報
【特許文献２】特開２００６-０１１３８７号公報
【発明の概要】
【発明が解決しようとする課題】
【０００５】
本発明の目的は、複数の表示部を備えた表示装置において、個々の表示部に備えられた電源が、他の表示部に備えられた表示媒体の電源として活用される表示装置を提供することにある。
【課題を解決するための手段】
【０００６】
請求項１に記載の発明は、複数の画素を備えた表示媒体及び前記表示媒体に電圧を印加する電源を各々備え、前記表示媒体への電圧の印加により画像が更新される複数の表示部と、前記複数の表示部の各々に備えられた電源から、前記複数の表示部の各々に備えられた表示媒体への電圧の印加を切り替える切替部と、画像を更新しない表示部が存在する状態で、画像を更新する表示部に備えられた電源及び画像を更新しない表示部に備えられた電源から、前記画像を更新する表示部に備えられた表示媒体に電圧が印加されるように前記切替部を制御する制御部と、を備えた表示装置である。
【０００７】
請求項２に記載の発明は、前記制御部が、画像を更新する表示部に備えられた電源及び画像を更新しない表示部に備えられた電源から前記画像を更新する表示部に備えられた表示媒体に印加される電圧が、画像を更新する表示部に備えられた電源から前記画像を更新する表示部に備えられた表示媒体に印加される電圧よりも増加するように前記切替部を制御する、請求項１に記載の表示装置である。
【０００８】
請求項３に記載の発明は、前記制御部が、画像を更新しない表示部の数が画像を更新する表示部の数以上の場合に、画像を更新しない表示部に備えられた電源から、画像を更新する表示部に備えられた表示媒体に電圧が印加されるように前記切替部を制御する、請求項１又は請求項２に記載の表示装置である。
【０００９】
請求項４に記載の発明は、前記制御部が、画像を更新しない複数の表示部に備えられた複数の電源から、画像を更新する表示部に備えられた１つの表示媒体に電圧が印加されるように前記切替部を制御する、請求項３に記載の表示装置である。
【００１０】
請求項５に記載の発明は、前記制御部が、画像を更新しない表示部に備えられた電源から、画像を更新する複数の表示部の複数の表示媒体の各々に順次電圧が印加されるように前記切替部を制御する、請求項１から請求項４までの何れか１項に記載の表示装置である。
【００１１】
請求項６に記載の発明は、前記制御部が、画像を更新しない表示部に備えられた電源から、画像を更新する複数の表示部の一部の表示媒体の各々に電圧が印加されるように前記切替部を制御する、請求項１又は請求項２に記載の表示装置である。
【００１２】
請求項７に記載の発明は、前記表示媒体が、前記複数の画素に応じて設けられた複数の画素電極及び前記複数の画素に共通の共通電極を備え、前記制御部は、画像を更新する表示部に備えられた電源が前記画像を更新する表示部に備えられた表示媒体の複数の画素電極の各々に接続されると共に、画像を更新しない表示部に備えられた電源が前記画像を更新する表示部に備えられた表示媒体の共通電極に接続されるように前記切替部を制御する、請求項１から請求項６までの何れか１項に記載の表示装置である。
【発明の効果】
【００１３】
請求項１に記載の発明によれば、複数の表示部を備えた表示装置において、個々の表示部に備えられた電源が、他の表示部に備えられた表示媒体の電源として活用される。
【００１４】
請求項２に記載の発明によれば、画像を更新しない表示部に備えられた電源から表示媒体に電圧を印加しない場合に比べて、画像が高速に更新される。
【００１５】
請求項３に記載の発明によれば、画像を更新する表示部に備えられた表示媒体に、画像を更新しない表示部に備えられた余剰の電源から電圧が印加される。
【００１６】
請求項４に記載の発明によれば、画像を更新しない表示部に備えられた１つの電源から表示媒体に電圧を印加する場合に比べ、電源の個数倍の電圧が表示媒体に印加される。
【００１７】
請求項５に記載の発明によれば、画像を更新する複数の表示部の複数の表示媒体の各々に、画像を更新しない表示部に備えられた１つの電源から順次電圧が印加される。
【００１８】
請求項６に記載の発明によれば、画像を更新する複数の表示部の一部の表示媒体の各々に、画像を更新しない表示部に備えられた電源から電圧が印加される。
【００１９】
請求項７に記載の発明によれば、画像を更新する表示部に備えられた表示媒体の共通電極の電位が変化する。
【図面の簡単な説明】
【００２０】
【図１】（Ａ）及び（Ｂ）は本発明の実施の形態に係る表示装置の構成の一例を示す概略図である。
【図２】本発明の実施の形態に係る表示装置の構成の一例を示すブロック図である。
【図３】（Ａ）は表示媒体の構成の一例を示す模式図である。（Ｂ）は表示媒体の回路構成の一例を示す回路図である。
【図４】本発明の実施の形態に係る表示装置の電気的構成を示すブロック図である。
【図５】切替部の構成の一例を示す回路図である。
【図６】図５に示す切替部の動作の一例を説明する説明図である。
【図７】図５に示す切替部の動作の他の一例を説明する説明図である。
【図８】図５に示す切替部の動作の更に他の一例を説明する説明図である。
【図９】表示シーケンステーブルの一例を示す図である。
【図１０】画像情報の一例を示す図である。
【図１１】表示装置の駆動方法の一例（例１）を示す模式図である。
【図１２】表示装置の駆動方法の一例（例２）を示す模式図である。
【図１３】表示装置の駆動方法の一例（例３）を示す模式図である。
【図１４】表示装置の駆動方法の一例（例４）を示す模式図である。
【図１５】（Ａ）及び（Ｂ）は表示装置の駆動方法の一例（例５）を示す模式図である。
【図１６】表示装置の駆動方法の一例（例６）を示す模式図である。
【図１７】表示装置の駆動処理の手順の一例を示すフローチャートである。
【図１８】駆動方法判定処理の手順の一例を示すフローチャートである。
【発明を実施するための形態】
【００２１】
以下、図面を参照して本発明の実施の形態の一例を詳細に説明する。
【００２２】
＜表示装置の構成＞
（複数の表示媒体のタイリング）
まず、複数の表示媒体を備えた表示装置について説明する。
図１（Ａ）及び図１（Ｂ）は本発明の実施の形態に係る表示装置の構成の一例を示す概略図である。図１（Ａ）に示すように、表示装置１００は、各々が独立に駆動される複数の表示媒体１０Ａから１０Ｉを備えている。複数の表示媒体１０Ａから１０Ｉは、互いに隣接するように配置されて大画面ディスプレイを構成する。このように複数の表示媒体を互いに隣接するように配置することをタイリングという。
【００２３】
大画面ディスプレイは、屋内外を問わずに設置され、画像を表示することで広告や宣伝を実施するデジタル・サイネージ等に利用される。図示した例では、９個の表示媒体１０Ａから１０Ｉは、３×３の格子状に配置されている。以下、表示媒体１０Ａから１０Ｉの各々を区別する必要が無い場合は、表示媒体１０と総称する。
【００２４】
表示媒体１０としては、画像更新の際には電力を必要とするが、更新後の画像表示には電力を必要としない機能（即ち、画像を保持する機能）を有する表示媒体が用いられる。画像を保持する機能を有する表示媒体は、透過型の液晶ディスプレイや有機エレクトロルミネッセンス（有機ＥＬ）等、画像を保持する機能を有しない表示媒体と比較して消費する電力量が少ないという利点を有する。
【００２５】
本実施の形態では、画像を保持する機能を有する表示媒体１０として、電気泳動方式を用いた電子ペーパを例示して説明する。しかしながら、画像を保持する機能を有する表示媒体であれば特に制限はなく、コレステリック液晶を用いた表示媒体等、他の表示媒体を用いてもよい。電子ペーパの構成については後述する。
【００２６】
複数の表示媒体１０Ａから１０Ｉの各々は、画像情報に基づいて独立に駆動される。表示媒体１０Ａから１０Ｉの全部又は一部に１つの画像を分割した画像を表示してもよい。また、表示媒体１０Ａから１０Ｉの全部又は一部に、他の表示媒体１０に表示される画像とは関連性のない個別の画像を表示してもよい。例えば、図１（Ｂ）に示す表示装置１００では、２行目の３つの表示媒体１０Ｄ、１０Ｅ及び１０Ｆを用いて、所望の画像（ここでは「渋滞中」の文字列）を表示する。なお、ここで画像情報とは、表示媒体１０に表示する画像の画素毎の色情報を含んだ情報のことである。
【００２７】
なお、複数の表示媒体１０の個数や配列は、図１（Ａ）及び図１（Ｂ）に図示したものには限定されない。例えばｎ×ｍの格子状に配置してもよい。ここで「ｎ」及び「ｍ」の各々は１以上の整数を表す。
【００２８】
（表示装置の概略構成）
次に、表示装置１００の概略構成について説明する。
図２は本発明の実施の形態に係る表示装置の構成の一例を示すブロック図である。図２に示すように、表示装置１００は、複数の表示部２０、制御部３０及び切替部４０を備えている。表示部２０の個数に特に制限は無いが、本実施の形態では、複数の表示部２０として、表示媒体１０１を含む第１表示部２０１、表示媒体１０２を含む第２表示部２０２及び表示媒体１０３を含む第３表示部２０３の３つの表示部を備える例について説明する。表示媒体１０１、表示媒体１０２及び表示媒体１０３は、互いに隣接するように配置されて大画面ディスプレイを構成する。
【００２９】
第１表示部２０１は、表示媒体１０１に加えて、表示媒体１０１を駆動する駆動部５０１、駆動部５０１又は第１表示部２０１の外部に電圧を供給する電源６０１、及び共通電極７０１を備えている。第１表示部２０１と同様に、第２表示部２０２は、表示媒体１０２を駆動する駆動部５０２、駆動部５０２又は第２表示部２０２の外部に電圧を供給する電源６０２、及び共通電極７０２を備えている。また、第３表示部２０３は、表示媒体１０３を駆動する駆動部５０３、駆動部５０３又は第３表示部２０３の外部に電圧を供給する電源６０３、及び共通電極７０３を備えている。
【００３０】
なお、表示媒体１０１、表示媒体１０２及び表示媒体１０３を区別する必要が無い場合は、これらを表示媒体１０と総称する。同様に、第１表示部２０１、第２表示部２０２及び第３表示部２０３を区別する必要が無い場合は、これらを表示部２０と総称する。また、駆動部５０１、駆動部５０２及び駆動部５０３を区別する必要が無い場合は、これらを駆動部５０と総称する。また、電源６０１、電源６０２、電源６０３を区別する必要が無い場合は、これらを電源６０と総称する。共通電極７０１、共通電極７０２及び共通電極７０３を区別する必要が無い場合は、これらを共通電極７０と総称する。
【００３１】
制御部３０は、駆動部５０１、駆動部５０２、駆動部５０３及び切替部４０の各々に接続されている。制御部３０は、表示情報に基づいて切替部４０を制御する。また、制御部３０は、表示情報で指定された画像情報に基づいて駆動部５０１、駆動部５０２及び駆動部５０３の各々を制御して、対応する表示媒体１０に表示された画像を更新する。なお、画像の更新には、表示媒体１０の初期化（リセット表示）、初期化後の画像の表示が含まれる。なお、表示情報については後述する。
【００３２】
切替部４０には、電源６０１、共通電極７０１、電源６０２、共通電極７０２、電源６０３及び共通電極７０３の各々が接続されている。切替部４０は、制御部３０の制御に応じて、電源６０１、電源６０２及び電源６０３の各々を、当該電源６０を備える表示部２０の内部に在る駆動部５０に接続するか、当該電源６０を備える表示部２０の外部に在る共通電極７０に接続するかを切り替える。これにより、切替部４０は、電源６０１、電源６０２及び電源６０３から、表示媒体１０１、表示媒体１０２及び表示媒体１０３への電圧の印加を切り替える。
【００３３】
例えば、第１表示部２０１の電源６０１が第２表示部２０２の共通電極７０２に接続されると、第２表示部２０２の表示媒体１０２には、第２表示部２０２の電源６０２及び第１表示部２０１の電源６０１から電圧が印加されるようになる。即ち、個々の表示媒体１０に対応して設けられた電源６０が、他の表示媒体１０の電源として活用される。
【００３４】
また、共通電極７０に外部の電源６０が接続されることで、共通電極７０の電位が変化する。後述する通り、表示媒体１０は、複数の画素電極１４と共通電極７０とを備えており、複数の画素電極１４と共通電極７０との間に電圧が印加されることにより画像が更新される（図３参照）。印加される電圧が大きくなるように共通電極７０の電位を変化させることで、表示媒体１０の駆動速度も速くなる。ここで表示媒体１０の「駆動速度」とは、表示媒体１０の画像の表示切替の速度を意味する。
【００３５】
共通電極７０に外部の電源６０が接続されない場合は、表示媒体１０は予め定めた駆動速度で駆動される。これを「通常駆動」という。一方、共通電極７０に外部の電源６０が接続されることにより、共通電極７０に外部の電源６０が接続されない場合に比べて、表示媒体１０の駆動速度が速くなることを「高速駆動」という。
【００３６】
また、共通電極７０に外部の複数の電源６０を直列に接続してもよい。複数の電源６０が接続された場合には、表示媒体１０に印加される電圧の上限は、電源６０の個数に応じて大きくなる。電源６０の個数に応じて表示媒体１０の駆動速度が速くなることを「倍高速駆動」という。
【００３７】
また、上記の表示装置の構成は一例である。表示部２０内の電源６０以外の他の外部電源を備えていてもよく、他の外部電源から電圧を印加してもよい。
【００３８】
（表示媒体の構成）
次に、表示媒体１０の構成について説明する。
図３（Ａ）は表示媒体１０の構成の一例を示す模式図である。図３（Ａ）に示すように、表示媒体１０は、画像表示面とされる透光性の表示基板１１と、非表示面とされる背面基板１２とを備えている。表示基板１１と背面基板１２とは、互いに対向するように配置されている。表示基板１１の背面基板１２側には、全セルに共通の共通電極７０が設けられている。背面基板１２の表示基板１１側には、セル毎に画素電極１４が設けられている。表示媒体１０には、表示基板１１と背面基板１２との間隙を予め定めた距離に保持すると共に、表示媒体１０を複数のセルに区画する間隙部材１５が設けられている。
【００３９】
上記セルとは、画素電極１４が設けられた背面基板１２、共通電極７０が設けられた表示基板１１及び間隙部材１５によって囲まれた領域を示しており、表示媒体１０に画像を表示する際の単位である画素１０αを構成する。ここでは１つの画素１０αを図示するが、実際には表示媒体１０は複数の画素１０αを含んで構成されている。画素１０α中には、例えば絶縁性液体で構成された透明の分散媒１６と、分散媒１６中に分散されたシアン色粒子群１７Ｃ、赤色粒子群１７Ｒ及び白色粒子群１９Ｗが封入されている。共通電極７０と画素電極１４との間に画像情報に応じた電圧を印加することにより、分散媒１６中の粒子１７を泳動させて、画像情報に応じた画像を表示させる。
【００４０】
また、表示媒体１０は、アクティブマトリクス駆動方式を採用しており、背面基板１２内に、各画素１０αに対応する複数の薄膜トランジスタ（ＴＦＴ）１８を備えている。アクティブマトリクス駆動方式では、スイッチ素子であるＴＦＴ１８を制御することにより、画素１０αへの印加電圧を切り替える。なお、本実施の形態では、背面基板１２にＴＦＴ１８を形成する構成とするが、表示基板１１にＴＦＴ１８を形成し、背面基板１２に共通電極７０を形成する構成としてもよい。
【００４１】
図３（Ｂ）は表示媒体１０の回路構成の一例を示す回路図である。図３（Ｂ）に示すように、背面基板１２には、ゲート線Ｘとソース線Ｙとが設けられている。ゲート線Ｘとソース線Ｙとの交差部には、交差部に対応して画素電極１４が設けられている。また、各画素電極１４に対応してＴＦＴ１８が設けられている。ＴＦＴ１８のドレインＤは、画素電極１４に接続されている。ＴＦＴ１８のゲートＧは、ゲート線Ｘを介して駆動部５０と接続されている。ＴＦＴ１８のソースＳは、ソース線Ｙを介して駆動部５０と接続されている。
【００４２】
この構造により、画像情報に基づいて駆動部５０により表示媒体１０が駆動されて、画素電極１４と共通電極７０とに挟まれた画素１０α毎に電圧が印加される。ＴＦＴ１８は、ソースＳとゲートＧとの両方に有効な入力があるときにオン状態となる。また、画素電極１４は、ＴＦＴ１８がオン状態のときにソースＳの電位になり、ＴＦＴ１８がオフ状態のときはオフ状態前のオン状態の電位を維持する。
【００４３】
次に、上記表示媒体１０での画像の表示動作について説明する。ここではＴＦＴ１８のスイッチ動作についての説明は省略する。粒子群１７Ｃ及び粒子群１７Ｒは、例えば共に同極に帯電し、画素電極１４と共通電極７０との間に予め定めた閾値を越える電圧が印加されることにより、粒子群１７がこれら電極間を泳動する特性を有している。なお、本実施形態に係る粒子群１７Ｃ及び粒子群１７Ｒは共に正極に帯電しているものとして説明するが、共に負極に帯電していてもよく、又は互いに異極に帯電していてもよい。
【００４４】
また、本実施の形態に係る粒子１７Ｃの粒径は粒子１７Ｒの粒径よりも小さく、画素電極１４及び共通電極７０間に予め定めた閾値を越える電圧を印加して粒子１７Ｒが何れかの基板に付着し凝集した状態であっても、凝集した粒子１７Ｒの間隙をすり抜けられる程度の粒径とされる。なお、粒子１７Ｃ及び粒子１７Ｒの粒径に関する制限はなく、粒子１７の帯電極性、応答性、電極間の距離等に応じて適宜設定すればよい。また、粒子１７Ｃは透光性を有しているものとするが、これに限定されることなく、各粒子の透光性は適宜設定すればよく、粒子１７の色もシアン色及び赤色に限定されない。
【００４５】
一方、粒子群１９Ｗは、粒子群１７Ｃ及び粒子群１７Ｒに比べて帯電量が少ない粒子群である。そのため、粒子群１７が一対の表示基板１１及び背面基板１２のうち何れか一方の基板まで泳動する電圧が一対の画素電極１４及び共通電極７０間に印加されても、粒子群１７の泳動速度に比べて粒子群１９Ｗの泳動速度は遅く、粒子群１９Ｗは表示基板１１及び背面基板１２の何れの基板にも付着することなく分散媒１６中を浮遊する。
【００４６】
なお、本実施の形態の画素１０αには、シアン色粒子群１７Ｃ、赤色粒子群１７Ｒ及び白色粒子群１９Ｗの３粒子群が封入されるものとしたが、画素に封入される粒子群数がこれに限定されないことは言うまでもない。
【００４７】
駆動部５０は、電源６０から電力の供給を受け、制御部３０による制御に応じて、表示媒体１０の複数の画素電極１４と共通電極７０との間に、表示させる画像の画像情報に応じた電圧を印加する。これにより、分散媒１６中の粒子１７を泳動させ、帯電極性に応じて表示基板１１及び背面基板１２のうち何れか一方の基板に粒子１７を引き付けることで、画像情報に応じた濃度の画像を表示させる。
【００４８】
なお、本実施の形態では、１つのセルを１つの画素に対応付けて説明するが、例えば、横方向に２個、縦方向に２個の隣接する複数のセルを１つの連結されたセルとみなして、この連結されたセルを１つの画素として扱うようにしてもよい。
【００４９】
（表示装置の電気的構成）
次に、表示装置１００の電気的構成について説明する。
図４は本発明の実施の形態に係る表示装置の電気的構成を示すブロック図である。図４に示すように、表示装置１００は、制御部３０、複数の駆動部５０（駆動部５０１、駆動部５０２及び駆動部５０３）、切替部４０及び通信部８０を備えている。
【００５０】
制御部３０は、装置全体の制御及び各種演算を行うコンピュータとして構成されている。具体的には、制御部３０は、ＣＰＵ（中央処理装置;  Central Processing Unit）３０Ａ、各種プログラムを記憶したＲＯＭ（Read Only Memory）３０Ｂ、プログラムの実行時にワークエリアとして使用されるＲＡＭ（Random Access Memory）３０Ｃ、各種情報を記憶する不揮発性メモリ３０Ｄ、及び入出力インターフェース（Ｉ／Ｏ）３０Ｅを備えている。ＣＰＵ３０Ａ、ＲＯＭ３０Ｂ、ＲＡＭ３０Ｃ、不揮発性メモリ３０Ｄ、及びＩ／Ｏ３０Ｅの各々は、バス３０Ｆを介して接続されている。
【００５１】
複数の駆動部５０、切替部４０及び通信部８０の各部は、制御部３０のＩ／Ｏ３０Ｅに接続されている。制御部３０は、複数の駆動部５０、切替部４０及び通信部８０の各部との間で情報の授受を行い、各部を制御する。通信部８０は、有線又は無線の通信回線を介して図示しない外部装置と通信を行うためのインターフェースである。例えば、通信部８０は、外部の端末装置から画像情報を含む表示情報を取得する。
【００５２】
本実施の形態では、ＲＯＭ３０Ｂに、後述する「駆動処理」や「駆動方法判定処理」の制御プログラムが予め記憶されている。また、不揮発性メモリ３０Ｄに、表示情報としての「表示シーケンステーブル」や「画像情報」等の各種データが予め記憶されている。なお、制御プログラムや各種データは、他の記憶装置に記憶されていてもよいし、上記の通り通信部８０を介して外部から取得されてもよい。
【００５３】
なお、制御部３０には、各種ドライブが接続されていてもよい。各種ドライブは、フレキシブルディスク、光磁気ディスク、ＣＤ−ＲＯＭ、ＤＶＤ-ＲＯＭ、ＵＳＢメモリなどのコンピュータ読み取り可能な可搬性の記録媒体からデータを読み込んだり、記録媒体に対してデータを書き込んだりする装置である。各種ドライブを備える場合には、可搬性の記録媒体に制御プログラムを記録しておいて、これを対応するドライブで読み込んで実行してもよい。
【００５４】
＜切替部の構成・動作＞
次に、切替部４０の構成及び動作について説明する。
図５は切替部の構成の一例を示す回路図である。図６から図８は図５に示す切替部の動作の一例を説明する説明図である。切替部４０は、ＳＷ１、ＳＷ２及びＳＷ３を含む第１のスイッチ群４２、ＳＷ４、ＳＷ５及びＳＷ６を含む第２のスイッチ群４４、ＳＷ７、ＳＷ８及びＳＷ９を含む第３のスイッチ群４６、及びＳＷ１０、ＳＷ１１及びＳＷ１２を含む第４のスイッチ群４８を備えている。以下、スイッチを「ＳＷ」と略称する。
【００５５】
詳細な接続関係の説明は省略するが、切替部４０は、上記ＳＷ１からＳＷ１２までを用いて、電源６０１、共通電極７０１、電源６０２、共通電極７０２、電源６０３及び共通電極７０３の間の接続を切り替える。例えば、画像を更新しない表示部２０に備えられた電源６０が、画像を更新する表示部２０の共通電極７０に接続されるように、ＳＷ１からＳＷ１２までの各々を切り替える。本実施の形態では、共通電極７０に電源６０が接続されることにより、画像を更新する表示部２０が高速駆動される。なお、駆動対象は「表示媒体１０」であるが、図５から図８では、表示媒体１０が図示されていないため、表示部２０を高速駆動するという。
【００５６】
第１のスイッチ群４２は、何れかの共通電極７０に外部の電源６０から電圧を印加して、表示部２０を「高速駆動」するか否かを選択するスイッチ群である。共通電極７０に外部から電圧を印加しない場合は、共通電極７０が表示部２０内の電源６０の負極に接続されるようにＳＷを切り替える。この場合、電源６０の負極が接地されていてもよい。一方、共通電極７０に外部から電圧を印加する場合は、共通電極７０が外部の電源６０の負極に接続されるようにＳＷを切り替える。
【００５７】
第２のスイッチ群４４は、ＳＷに対応する共通電極７０に外部の電源６０から電圧を印加して、ＳＷに対応する表示部２０を「高速駆動」するか否かを選択するスイッチ群である。ＳＷに対応する共通電極７０に外部から電圧を印加しない場合は、ＳＷをオフ（開）にする。一方、ＳＷに対応する共通電極７０に外部から電圧を印加する場合は、ＳＷをオン（閉）にして、ＳＷに対応する電源６０の負極が外部の電源６０の正極に接続されるようにＳＷを切り替える。
【００５８】
第３のスイッチ群４６、第４のスイッチ群４８は、ＳＷに対応する共通電極７０に電圧を印加する電源６０を選択するスイッチ群である。第３のスイッチ群４６は、ＳＷに対応する電源６０の負極が外部の電源６０の正極に接続されるようにＳＷを切り替える。第４のスイッチ群４８は、ＳＷに対応する共通電極７０が外部の電源６０の負極に接続されるようにＳＷを切り替える。
【００５９】
なお、対応する表示部２０を「高速駆動」しない場合は、第２のスイッチ群４４でＳＷがオフ（開）になっているので、第３のスイッチ群４６、第４のスイッチ群４８に含まれるＳＷの状態は無関係であるが、ＳＷをオフ（開）にしておいてもよい。
【００６０】
（通常駆動）
ここで「通常駆動」の動作について説明する。
図６に示すように、何れの表示部２０についても高速駆動を行わない（「通常駆動」を行う）場合は、何れの共通電極７０にも外部から電圧を印加しない。従って、第１のスイッチ群４２に含まれるＳＷ１、ＳＷ２及びＳＷ３の各々を、ＳＷに対応する共通電極７０が表示部２０内の電源６０の負極に接続されるように切り替える。また、第２のスイッチ群４４に含まれるＳＷ４、ＳＷ５及びＳＷ６の各々を、オフ（開）にする。その結果、電源６０１、共通電極７０１、電源６０２、共通電極７０２、電源６０３及び共通電極７０３は、太線で図示したように接続される。
【００６１】
（高速駆動）
ここで「高速駆動」の動作について説明する。
図７に示すように、第２表示部２０２の電源６０２を利用して、第１表示部２０１を「高速駆動」する場合には、第１のスイッチ群４２に含まれるＳＷ１、ＳＷ２及びＳＷ３の各々を、ＳＷに対応する共通電極７０が外部の電源６０の負極に接続するように切り替える。また、第２のスイッチ群４２に含まれるＳＷ４、ＳＷ５及びＳＷ６の内、第１表示部２０１に対応するＳＷ４をオン（閉）にして、他のＳＷ５及びＳＷ６をオフ（開）にする。ＳＷ４をオン（閉）にすることで、第１表示部２０１の電源６０１の負極が外部の電源６０の正極に接続されるようになる。
【００６２】
また、第３のスイッチ群４６に含まれるＳＷ７、ＳＷ８及びＳＷ９の内、第１表示部２０１に対応するＳＷ７を、第１表示部２０１の電源６０１の負極が、第２表示部２０２の電源６０２の正極に接続されるように切り替える。また、第４のスイッチ群４８に含まれるＳＷ１０、ＳＷ１１及びＳＷ１２の内、第１表示部２０１に対応するＳＷ１０を、第１表示部２０１の共通電極７０１が第２表示部２０２の電源６０２の負極に接続されるように切り替える。その結果、電源６０１、共通電極７０１、電源６０２、共通電極７０２、電源６０３及び共通電極７０３は、太線で図示したように接続される。
【００６３】
（倍高速駆動）
ここで「倍高速駆動」の動作について説明する。
図８に示すように、第２表示部２０２の電源６０２及び第３表示部２０３の電源６０３を利用して、第１表示部２０１を「倍高速駆動」してもよい。電源６０２と電源６０３とは直列に接続される。第１のスイッチ群４２に含まれるＳＷ１、ＳＷ２及びＳＷ３の各々を、ＳＷに対応する共通電極７０が外部の電源６０の負極に接続するように切り替える。また、第２のスイッチ群４２に含まれるＳＷ４、ＳＷ５及びＳＷ６の内、第１表示部２０１に対応するＳＷ４及びＳＷ５をオン（閉）にして、他のＳＷ６をオフ（開）にする。ＳＷ４をオン（閉）にすることで、第１表示部２０１の電源６０１の負極が外部の電源６０の正極に接続されるようになる。ＳＷ５をオン（閉）にすることで、第２表示部２０２の電源６０２の負極が外部の電源６０の正極に接続されるようになる。
【００６４】
また、第３のスイッチ群４６に含まれるＳＷ７、ＳＷ８及びＳＷ９の内、第１表示部２０１に対応するＳＷ７を、第１表示部２０１の電源６０１の負極が、第２表示部２０２の電源６０２の正極に接続されるように切り替えると共に、第２表示部２０２に対応するＳＷ８を、第２表示部２０２の電源６０２の負極が、第３表示部２０３の電源６０３の正極に接続されるように切り替える。また、第４のスイッチ群４８に含まれるＳＷ１０、ＳＷ１１及びＳＷ１２の内、第１表示部２０１に対応するＳＷ１０を、第１表示部２０１の共通電極７０１が第３表示部２０３の電源６０３の負極に接続されるように切り替える。その結果、電源６０１、共通電極７０１、電源６０２、共通電極７０２、電源６０３及び共通電極７０３は、太線で図示したように接続される。
【００６５】
上記では「通常駆動」、「高速駆動」、「倍高速駆動」を行う場合の接続例について説明したが、後述する通り、表示装置の駆動方法はこれらに限定される訳ではない。また、切替部４０の構成は、３つの表示部２０に対応した一例である。ＳＷの個数や配置、各部の接続を含む切替部４０の構成は、表示部２０の個数や動作に応じて設計される。
【００６６】
＜表示装置の駆動制御方法＞
次に、表示装置の駆動制御方法について説明する。
制御部３０は、表示情報に基づいて切替部４０を制御すると共に。表示情報で指定された画像情報に基づいて駆動部５０１、駆動部５０２及び駆動部５０３の各々を制御して、対応する表示媒体１０の画像を更新する。本実施の形態では、制御部３０の不揮発性メモリ３０Ｄに、「表示シーケンステーブル」が表示情報として予め記憶されている。
【００６７】
（表示シーケンステーブル）
ここで「表示シーケンステーブル」について説明する。
図９は「表示シーケンステーブル」の一例を示す図である。表示シーケンステーブル３２は、駆動制御用の条件テーブルである。図９に示すように、本実施の形態の表示シーケンステーブル３２は、表示時刻、高速駆動の有無、更新数、更新モード、更新位置、更新情報等の項目を含む。本実施の形態では、表示シーケンステーブル３２を参照し、切替部４０、駆動部５０１、駆動部５０２及び駆動部５０３の各々を制御して、表示媒体１０に画像が表示されるように表示装置１００を駆動制御する。
【００６８】
「表示時刻」とは、少なくとも１つの表示媒体１０の画像を更新する時刻を示す情報である。「高速駆動の有無」とは、画像を更新する表示媒体１０の高速駆動を行うか否かを示す情報である。「更新数」とは、画像を更新する表示媒体１０の数を示す情報である。「更新モード」とは、画像の更新を高速駆動で行う場合のモードを示す情報である。「更新位置」とは、画像を更新する表示媒体１０を特定する情報である。「更新情報」とは、画像を更新する表示媒体１０とその表示媒体１０に表示される画像名を表す情報である。
【００６９】
「更新モード」には、高速/非順次、倍高速/非順次、高速/順次、及び一部高速/非順次の４種類がある。各モードでの更新動作については後述する。「更新位置」では、表示媒体１０を含む表示部２０に付与した番号で、画像を更新する表示媒体１０を特定する。本実施の形態では、第１表示部２０１を「表示部１」、第２表示部２０２を「表示部２」、第３表示部２０３を「表示部３」とする。「順次更新」モードの場合は、「表示部２→表示部３」のように更新の順番に表示部２０を記載する。「一部高速」モードの場合は、「表示部２：Ｈ」のように高速駆動で画像を更新する表示部２０を特定する。
【００７０】
「更新情報」では、「表示部３→画像１」のように、更新位置とその更新位置に表示される画像名が記載される。図１０は画像情報の一例を示す図である。図１０に示すように、制御部３０の不揮発性メモリ３０Ｄには、画像情報３４が画像名を付与されて、予め記憶されている。画像情報３４は、複数の画像の画像情報を含んでいてもよい。例えば、複数の画像情報は、「画像１」、「画像２」等の画像名により識別される。ここでは、１つの画像情報に基づく画像は、１つの表示媒体１０に表示されるものとして説明する。
【００７１】
（表示装置の駆動方法）
次に、「表示シーケンステーブル」に図示した例１から例６までの「駆動方法」の各々について説明する。図１１は表示装置の駆動方法の一例（例１）を示す模式図である。図１２は表示装置の駆動方法の一例（例２）を示す模式図である。図１３は表示装置の駆動方法の一例（例３）を示す模式図である。図１４は表示装置の駆動方法の一例（例４）を示す模式図である。図１５（Ａ）及び図１５（Ｂ）は表示装置の駆動方法の一例（例５）を示す模式図である。図１６は表示装置の駆動方法の一例（例６）を示す模式図である。これらの例では、表示媒体１０の総数は「３」である。
【００７２】
＜例１＞＜例２＞
図１１及び図１２に示すように、画像を更新する表示媒体１０の高速駆動を行わない場合であって、画像を更新しない表示媒体１０の数（非更新数）が、画像を更新する表示媒体１０の数（更新数）未満の場合には、何れの表示媒体１０についても高速駆動は行わず、複数の表示媒体１０の各々を「通常駆動」する。即ち、何れの共通電極７０にも外部の電源６０から電圧を印加しない。図１１に示す例１では、画像を更新しない表示媒体１０の数は「０」、画像を更新する表示媒体１０の数は「３」である。また、図１２に示す例２では、画像を更新しない表示媒体１０の数は「１」、画像を更新する表示媒体１０の数は「２」である。
【００７３】
＜例３＞＜図４＞
図１３及び図１４に示すように、画像を更新する表示媒体１０の高速駆動を行う場合であって、非更新数が更新数以上である場合には、画像を更新する表示媒体１０を高速駆動する。即ち、画像を更新する表示媒体１０に対応する共通電極７０に外部の電源６０を接続して、画像を更新する表示媒体１０に内部の電源６０と外部の電源６０とから電圧を印加する。例３では、第３表示部２０３の表示媒体１０３の画像が更新され、第１表示部２０１の表示媒体１０１及び第２表示部２０２の表示媒体１０２の画像は更新されない。画像を更新しない表示媒体１０の数は「２」、画像を更新する表示媒体１０の数は「１」である。
【００７４】
例３では、第２表示部２０２の電源６０２が第３表示部２０３の共通電極７０３に接続されるように接続を切り替える。そして、第３表示部２０３の表示媒体１０３に、第３表示部２０３の電源６０３及び第２表示部２０２の電源６０２から電圧を印加する。これにより、第３表示部２０３の表示媒体１０３の画素電極と共通電極との間に印加される電圧が２倍になり、第３表示部２０３の表示媒体１０３が「高速駆動」される。更新モードは「高速／非順次」である。
【００７５】
例４では、第１表示部２０１の電源６０１と第２表示部２０２の電源６０２とが直列に接続されて、第３表示部２０３の共通電極７０３に接続されるように接続を切り替える。そして、第３表示部２０３の表示媒体１０３に、第３表示部２０３の電源６０３、第１表示部２０１の電源６０１及び第２表示部２０２の電源６０２から電圧を印加する。これにより、第３表示部２０３の表示媒体１０３の画素電極と共通電極との間に印加される電圧が３倍になり、第３表示部２０３の表示媒体１０３が「倍高速駆動」される。更新モードは「倍高速／非順次」である。
【００７６】
＜例５＞
図１５（Ａ）及び（Ｂ）に示すように、画像を更新する表示媒体１０の高速駆動を行う場合は、非更新数と更新数との大小関係に拘らず、画像を更新しない表示媒体１０がある限り、画像を更新する表示媒体１０を順次更新して、画像を更新する表示媒体１０を高速駆動する。例５では、第２表示部２０２の表示媒体１０２及び第３表示部２０３の表示媒体１０３の画像が順次更新され、第１表示部２０１の表示媒体１０１の画像は更新されない。画像を更新しない表示媒体１０の数は「１」、画像を更新する表示媒体１０の数は「２」である。更新順序は、表示シーケンステーブルで「第２表示部→第３表示部」のように設定されている。
【００７７】
例５では、まず、図１５（Ａ）に示すように、第１表示部２０１の電源６０１が第２表示部２０２の共通電極７０２に接続されるように接続を切り替える。そして、第２表示部２０２の表示媒体１０２に、第２表示部２０２の電源６０２及び第１表示部２０１の電源６０１から電圧を印加する。これにより、第２表示部２０２の表示媒体１０２の画素電極と共通電極との間に印加される電圧が２倍になり、第２表示部２０２の表示媒体１０２が「順次高速駆動」される。
【００７８】
次に、図１５（Ｂ）に示すように、第１表示部２０１の電源６０１が第３表示部２０３の共通電極７０３に接続されるように接続を切り替える。そして、第３表示部２０３の表示媒体１０３に、第３表示部２０３の電源６０３及び第１表示部２０１の電源６０１から電圧を印加する。これにより、第３表示部２０３の表示媒体１０３の画素電極と共通電極との間に印加される電圧が２倍になり、第３表示部２０３の表示媒体１０３が「順次高速駆動」される。以上の通り、表示媒体１０２、表示媒体１０３に、外部電源６０から順次電圧が印加されるので、更新モードは「高速／順次」である。
【００７９】
＜例６＞
図１６に示すように、画像を更新する表示媒体１０の高速駆動を行う場合は、非更新数と更新数との大小関係に拘らず、画像を更新しない表示媒体１０がある限り、画像を更新する表示媒体１０の一部を選択して、選択された一部の表示媒体１０を高速駆動する。例６では、第２表示部２０２の表示媒体１０２及び第３表示部２０３の表示媒体１０３の画像が更新され、第１表示部２０１の表示媒体１０１の画像は更新されない。画像を更新しない表示媒体１０の数は「１」、画像を更新する表示媒体１０の数は「２」である。
【００８０】
しかしながら、表示シーケンステーブルで「表示部２：Ｈ」のように、第２表示部２０２の表示媒体１０２が高速駆動で更新を行う対象として選択されており、第２表示部２０２の表示媒体１０２が高速駆動され、第３表示部２０３の表示媒体１０３は通常駆動される。例６では、第１表示部２０１の電源６０１が、第２表示部２０２の共通電極７０２に接続されるように接続を切り替える。そして、第２表示部２０２の表示媒体１０２に、第２表示部２０２の電源６０２及び第１表示部２０１の電源６０１から電圧を印加する。これにより、第２表示部２０２の表示媒体１０２の画素電極と共通電極との間に印加される電圧が２倍になり、第２表示部２０２の表示媒体１０２が「一部高速駆動」される。更新モードは「一部高速／非順次」である。
【００８１】
（表示装置の駆動処理）
次に、表示装置１００で実行される「駆動処理」の手順を説明する。
図１７は表示装置の「駆動処理」の手順の一例を示すフローチャートである。図１８は「駆動方法判定処理」の手順の一例を示すフローチャートである。これら「駆動処理」や「駆動方法判定処理」の制御プログラムは、制御部３０のＲＯＭ３０Ｂから読み出され、ＣＰＵ３０Ａにより実行される。「駆動処理」の制御プログラムは、表示シーケンステーブル３２で指定された「表示時刻」になると開始される。
【００８２】
図１７に示すように、まず、ステップ１００で、通常駆動、高速駆動（倍高速駆動）、順次高速駆動、一部高速駆動の何れを実施するかを判定する「駆動方法判定処理」を実行する。ここでは、高速駆動及び倍高速駆動のいずれとするかは、予め設定されているものとする。次に、ステップ１０２で、判定結果及び「更新位置」に基づいて切替部４０に指示して、電源と共通電極との接続の切り替えを行う。最後に、ステップ１０４で、表示シーケンステーブル３２の「更新情報」に基づいて、画像を更新する表示媒体１０に、指定された画像名の画像が表示されるように画像を更新する。
【００８３】
ここで「駆動方法判定処理」の手順について説明する。図１８に示すように、まず、ステップ２００で、表示シーケンステーブル３２を参照する。以下、表示シーケンステーブル３２に基づいて種々の判定を行う。
【００８４】
次に、ステップ２０２で、画像を更新する表示媒体１０の高速駆動を行うか否かを判定する。表示媒体１０の高速駆動を行う場合には、「高速駆動有り」としてステップ２０４に進む。一方、表示媒体１０の高速駆動を行わない場合には、「高速駆動無し」としてステップ２１０に進む。そして、ステップ２１０で、例１、例２に示した「通常駆動」と判定されてルーチンを終了する。
【００８５】
次に、ステップ２０４で、非更新数が更新数以上か否かを判定する。「非更新数が更新数以上」の場合は、ステップ２０６に進む。一方、「非更新数が更新数未満」の場合は、ステップ２０８に進み。
【００８６】
次に、ステップ２０６で、更新モードが「高速/順次」か否かを判定する。更新モードが「高速/順次」である場合は、ステップ２１６に進む、そして、ステップ２１６で、例５に示した「順次高速駆動」と判定されてルーチンを終了する。更新モードが「高速/非順次」である場合は、ステップ２１８に進む、そして、ステップ２１８で、例３に示した「高速駆動」又は例４に示した「倍高速駆動」と判定されてルーチンを終了する。
【００８７】
次に、ステップ２０８で、更新モードが「高速/順次」か否かを判定する。更新モードが「高速/順次」である場合は、ステップ２１２に進む、そして、ステップ２１２で、例５に示した「順次高速駆動」と判定されてルーチンを終了する。更新モードが「高速/非順次」である場合は、ステップ２１４に進む、そして、ステップ２１４で、例６に示した「一部高速駆動」と判定されてルーチンを終了する。
【００８８】
例えば、表示シーケンステーブル３２に示したように、１５時２０分になると図１７に示す「駆動処理」の制御プログラムが開始される。「高速駆動有り」、「非更新数が更新数以上」及び「高速/非順次」との条件より、駆動方法は例３に示す「高速駆動」と判定される。そして、この判定結果と「更新位置」とに基づいて、切替部４０が、第３表示部２０３の共通電極７０３に他の表示部２０の電源６０が接続されるように接続を切り替える。そして、「更新情報」に基づいて、第３表示部２０３の表示媒体１０３に、画像情報３４の画像１が表示されるように、第３表示部２０３の駆動部５０３が表示媒体１０３の画像を更新する。
【００８９】
なお、上記実施の形態で説明した表示装置の構成は一例であり、本発明の主旨を逸脱しない範囲内においてその構成を変更してもよいことは言うまでもない。例えば、例示したフローチャートにおいて、一部のステップを省略してもよく、他のステップを追加してもよい。また、必要に応じて各ステップの順序を入れ替えてもよい。
【符号の説明】
【００９０】
１０   表示媒体
１０α 画素
１１   表示基板
１７   粒子
１２   背面基板
１４   画素電極
１５   間隙部材
１６   分散媒
１７   粒子
１７Ｃ シアン色粒子群
１７Ｒ 赤色粒子群
１９Ｗ 白色粒子群
２０   表示部
３０   制御部
３２   表示シーケンステーブル
３４   画像情報
４０   切替部
４２   スイッチ群
４４   スイッチ群
４６   スイッチ群
４８   スイッチ群
５０   駆動部
６０   電源
７０   共通電極
８０   通信部
１００ 表示装置
【図１】
2015230446.tif 000003
【図２】
2015230446.tif 000004
【図４】
2015230446.tif 000005
【図５】
2015230446.tif 000006
【図６】
2015230446.tif 000007
【図７】
2015230446.tif 000008
【図８】
2015230446.tif 000009
【図９】
2015230446.tif 000010
【図１０】
2015230446.tif 000011
【図１１】
2015230446.tif 000012
【図１２】
2015230446.tif 000013
【図１３】
2015230446.tif 000014
【図１４】
2015230446.tif 000015
【図１５】
2015230446.tif 000016
【図１６】
2015230446.tif 000017
【図１７】
2015230446.tif 000018
【図１８】
2015230446.tif 000019
【図３】
2015230446.tif 000020